(57)【要約】      （修正有）【課題】照明装置に対して照明用光源の取り付け及び取り外しを容易に行うことができる照明用光源を提供する。【解決手段】光源１は、一端が開口し、照明装置５３のソケット５５から給電を受ける口金部材３と、口金部材３の開口を塞ぐ蓋部材と、蓋部材の外面に装着され且つ発光部（ＬＥＤ素子）を有する発光モジュールと、口金部材３内に格納され且つ発光部を発光させるため回路ユニットとを備える。蓋部材には、工具５７と係合するように係合部５ａが設けられている。照明装置５３へ取り付けられ、また照明装置５３から取り外される際に、工具５７を係合部５ａに係合させて行うことができる。【選択図】図６
2011014357.tif 000002
【特許請求の範囲】
【請求項１】
工具を利用して、照明装置のソケットに着脱自在に装着される照明用光源であって、
一端が開口し、前記ソケットから給電を受ける口金部材と、
前記口金部材の前記開口を塞ぐ蓋部材と、
前記蓋部材の外面に装着され且つ発光部を有する発光モジュールと
を備え、
前記工具と係合する係合部が前記発光モジュールの発光部以外の部分及び蓋部材の少なくとも一方に設けられている
ことを特徴とする照明用光源。
【請求項２】
前記蓋部材は平面視において多角形状の凹部を中央部に有し、
前記係合部は前記凹部の内面により構成されている
ことを特徴とする請求項１に記載の照明用光源。
【請求項３】
前記発光モジュール又は前記蓋部材の少なくとも一方の外観形状が平面視において多角形状又は楕円形状をし、
前記係合部は、前記多角形状又は楕円形状をした部分により構成されている
ことを特徴とする請求項１に記載の照明用光源。
【請求項４】
前記発光モジュール又は前記蓋部材の少なくとも一方の外観形状が平面視において多角形状をすると共に当該多角形状の頂点の位置が平面視において前記口金部材の外側に位置し、
前記係合部は前記多角形状をした部分により構成されている
ことを特徴とする請求項１に記載の照明用光源。
【請求項５】
前記発光モジュールの中心が前記口金部材の軸心上に位置する
ことを特徴とする請求項１〜４のいずれか１項に記載の照明用光源。
【請求項６】
前記発光部を発光させるための回路が前記口金部材と前記蓋体とで形成された空間内に格納されている
ことを特徴とする請求項１〜５のいずれか１項に記載の照明用光源。
【請求項７】
前記発光部は発光効率が１５０ｌｍ／Ｗ以上のＬＥＤ素子により構成されている
ことを特徴とする請求項１〜６のいずれか１項に記載の照明用光源。
【請求項８】
前記口金部材はＥ１７タイプである
ことを特徴とする請求項１〜７のいずれか１項に記載の照明用光源。
【発明の詳細な説明】
【技術分野】
【０００１】
本発明は、照明用光源に関する。
【背景技術】
【０００２】
既存光源として、白熱電球に代表される熱輻射を利用したものや蛍光灯に代表されるフォトルミネッセンスを利用したものがあり、現在の主要な光源となっている。
近年、上記光源以外に、半導体発光素子の一種である発光ダイオード（Light Emitting Diode、以下「ＬＥＤ素子」とする。）や有機ＥＬに代表されるエレクトロルミネッセンスを利用したものやカソードルミネッセンスを利用したものが、照明ユニット（照明装置）の光源として検討されている。
【０００３】
これらは、放電や輻射を使った既存光源に比べて小型化・薄型化が可能であり、更には、高効率であるだけでなく高光束化も進み、また、取り扱いが容易で多様なデザインが期待できる等の利点があり、既存光源の代替光源として注目されている（例えば、特許文献１）。
ＬＥＤ素子を利用し、既存の照明装置（照明用光源を点灯させる側の装置である。）に装着できる小型の照明用光源として、一端が開口する口金部材と、口金部材の開口を塞ぐ蓋部材と、発光部を有し且つ蓋部材の外面に装着された発光モジュールと、前記口金部材内に収納され且つ前記発光部を発光させるための回路ユニットとを備えたものが考えられる。
【先行技術文献】
【特許文献】
【０００４】
【特許文献１】特開２００７−１３４３２４号
【発明の概要】
【発明が解決しようとする課題】
【０００５】
上述のような照明用光源について検討を進めた結果、従来の既存光源に比べて小型化できるものの、照明用光源の照明装置への取り付け又は取り外しが非常に困難になるという問題がある。
つまり、照明用光源の大部分を占める口金部材は、その一部又全部が照明装置のソケットに挿入されているため、照明用光源として掴める部分が蓋部材や発光モジュールの一部分しかなく、しかも、この蓋部材や発光モジュールも小さいために、照明装置への取り付け及び取り外しの際に照明用光源を保持したり回転させたりすることができないのである。
【０００６】
本発明は、上記課題を解決するもので、照明装置に対して照明用光源の取り付け及び取り外しが容易に行うことができる照明用光源を提供することを目的とする。
【課題を解決するための手段】
【０００７】
本発明に係る照明用光源は、工具を利用して、照明装置のソケットに着脱自在に装着される照明用光源であって、一端が開口し、前記ソケットから給電を受ける口金部材と、前記口金部材の前記開口を塞ぐ蓋部材と、前記蓋部材の外面に装着され且つ発光部を有する発光モジュールとを備え、前記工具と係合する係合部が前記発光モジュールの発光部以外の部分及び蓋部材の少なくとも一方に設けられていることを特徴としている。
【０００８】
ここでいう「工具」とは、照明用光源を照明装置（ソケット）に装着する際に使用できる部材全般を指し、例えば、六角棒レンチ、ドライバ、レンチ、スパナ、専用工具、硬貨、薄板等がある。
【発明の効果】
【０００９】
上記構成によれば、工具と係合する係合部を有しているので、工具を係合部に係合させることで、照明装置に対して照明用光源の取り付け及び取り外しが容易に行うことができる。
また、本発明に係る照明用光源は、前記蓋部材は平面視において多角形状の凹部を中央部に有し、前記係合部は前記凹部の内面により構成されていることを特徴としている。あるいは、前記発光モジュール又は前記蓋部材の少なくとも一方の外観形状が平面視において多角形状又は楕円形状をし、前記係合部は、前記多角形状又は楕円形状をした部分により構成されていることを特徴としている。
【００１０】
さらには、前記発光モジュール又は前記蓋部材の少なくとも一方の外観形状が平面視において多角形状をすると共に当該多角形状の頂点の位置が平面視において前記口金部材の外側に位置し、前記係合部は前記多角形状をした部分により構成されていることを特徴としている。あるいは、前記発光モジュールの中心が前記口金部材の軸心上に位置することを特徴としている。
【００１１】
また、前記発光部を発光させるための回路が前記口金部材と前記蓋体とで形成された空間内に格納されていることを特徴としている。前記発光部は発光効率が１５０ｌｍ／Ｗ以上のＬＥＤにより構成されていることを特徴とし、あるいは、前記口金部材はＥ１７タイプであることを特徴としている。
【図面の簡単な説明】
【００１２】
【図１】第１の実施の形態に係る照明用光源の平面図である。
【図２】第１の実施の形態に係る照明用光源の正面図で内部の様子が分かるように一部を切り欠いている。
【図３】光源の回路図である。
【図４】基板の装着状態を説明する図であり、図２におけるＸ−Ｘ線の断面を矢印方向から見た図である。
【図５】基板の装着状態を説明する図であり、図４における蓋部材をＹ−Ｙ線の断面を矢印方向から見た図である。
【図６】実施の形態に係る光源の照明装置への装着を説明する図である。
【図７】凹部の形状の変形例を示す図である。
【図８】第２の実施の形態に係る照明用光源の平面図である。
【図９】第２の実施の形態に係る照明用光源の正面図で一部を切り欠いている。
【図１０】蓋部の側面形状の変形例を示す図であって、照明用光源の平面図を示す。
【図１１】発光モジュールの取着手段の変形例を示す平面図である。
【図１２】図１１のＺ１−Ｚ１線での断面を矢印方向から見た図である。
【図１３】図１１のＺ２−Ｚ２線での断面を矢印方向から見た図である。
【発明を実施するための形態】
【００１３】
以下、本発明の一例である実施の形態に係る電球代替用の照明用光源について、それぞれ図面を参照しながら説明する。
＜第１の実施の形態＞
１．構成
図１は、第１の実施の形態に係る照明用光源の平面図であり、図２は、第１の実施の形態に係る照明用光源の正面図で内部の様子が分かるように一部を切り欠いている。
【００１４】
同図に示すように、照明用光源（以下、「光源」という。）１は、一端が開口する口金部材３と、口金部材３の開口を塞ぐ蓋部材５と、発光部を有し且つ蓋部材５の外面に装着された発光モジュール１１と、前記口金部材３内に収納され且つ前記発光モジュール（発光部）１１を発光させるための回路ユニット１３とを備えている。
ここでの口金部材３は、所謂、エジソンタイプのＥ形（例えば、Ｅ２６である。）である。これにより、光源１は、従来の白熱電球（ミニクリプトン電球を含む。）や、電球形蛍光ランプを装着するソケットに対して装着されることとなり、照明装置側のソケットから給電を受け、光源として点灯する。
【００１５】
蓋部材５は、筒状部７と蓋部９とを有する有底筒形状をしている。筒状部７は、円筒形状をし、口金部材３と螺合するように外周面がねじ形状となっている。蓋部９は、円盤形状をし、その中央部に、平面視略正六角形状をした凹部９ａを有する。なお、平面視とは、口金部材３の軸心の延伸する方向から蓋部材５等を見たときである。
凹部９ａは、平面視における六角形状の中心が口金部材３の軸心の延長上に位置するように、形成されており、工具である六角棒レンチ（工具の一例である。）が嵌合するように構成されている。
【００１６】
なお、蓋部材５には、回路ユニット１３と発光モジュール１１とを電気的に接続する電力給電線（４３，４５）用の貫通孔１５，１５が設けられている。また、蓋部材５は、発光部（後述するＬＥＤ素子）が発光した際の熱を口金部材３から照明装置側へと伝えるために、熱伝導率の良好な材料、例えば金属材料が利用される。
口金部材３は、筒状胴部とも称されるシェル１７と円形皿状をしたアイレット１９とを有する。シェル１７とアイレット１９は、ガラス材料からなる絶縁体部２１を介して一体となっている。
【００１７】
回路ユニット１３と口金部材３とを接続する２本のリード線２３，２５のうち、一方のリード線２３がシェル１７に、他方のリード線２５がアイレット１９にそれぞれ接続されている。
リード線２３は、その一端部の導線部分２３ａは、蓋部材５の筒状部７の切欠き７ａ内に配され、この状態で蓋部材５が口金部材３により被着されると、シェル１７の内周面と電気的に接続する。リード線２５は、アイレット１９の中央部に開設された貫通孔を通って外部へと導出され、アイレット１９の外面に半田付けにより接合されることで、アイレット１９と電気的に接続する。
【００１８】
次に発光モジュール１１の構成について説明する。
発光モジュール１１は、配線パターンが形成された基板２７と、基板２７に実装され前記配線パターンと電気的に接続する発光部と、発光部から発せられた光の波長を変換する波長変換部材３７とを備える。
基板２７は、絶縁板２７ａの主面に配線パターン（図示省略）が形成されてなる。本実施の形態では、当該絶縁板２７ａの平面視形状が略正方形状をし、その中央に略正方形状の貫通孔２７ｂを有する。この貫通孔２７ｂは、蓋部材５の蓋部９の凹部９ａの位置と対応している。
【００１９】
発光素子は、例えば、半導体発光素子の一種であるＬＥＤ素子が複数（ここでは６４個である。）利用されている。図１に示すＬＥＤ素子は、波長変換部材３７により覆われている６４個のＬＥＤ素子のうち、１１個が現れており、図中、「Ｌ１、Ｌ２、Ｌ３、Ｌ４、Ｌ５、Ｌ６、Ｌ７、Ｌ８、Ｌ９、Ｌ１０、Ｌ１１」で示す。また、以下、ＬＥＤ素子の符号として「Ｌｎ」とする。
【００２０】
本実施の形態では、白熱電球４０Ｗ品を想定しているため、ＬＥＤ素子Ｌｎが６４個使用しているが、実施の形態におけるＬＥＤ素子Ｌｎの数は６４個に限定するものではない。
ＬＥＤ素子Ｌｎ（ｎは１〜６４の自然数である。）は、公知のＬＥＤ素子、例えば、ＩｎＧａＮ系のものが使用され、バンプ、ダイボンド、ワイヤー等により配線パターンに電気的に接続される。なお、本例ではＬＥＤ素子Ｌｎから発せられる光色は青色である。
【００２１】
波長変換部材３７は、ＬＥＤ素子Ｌｎから発せられた光を利用して、光源から所望の光色を出力するためのものであり、例えば、ＬＥＤ素子Ｌｎからの光の全部を波長変換したり、ＬＥＤ素子Ｌｎからの光の一部を波長変換して変換後の光とＬＥＤ素子Ｌｎからの残りの光とで混色させたりする。
波長変換部材３７は、波長変換する波長変換物質、例えば蛍光体粒子と、母材として例えばセラミックや樹脂等とから構成されている。この波長変換部材３７は、図１に示すように、基板２７より一回り小さな正方形状をし、基板２７の中央の貫通孔２７ｂより一回り大きな貫通孔３７ａを有する。
【００２２】
なお、ここでは、波長変換部材３７は、主成分（重量比率で５０（％）以上を占める。）が絶縁アルミナ等のセラミック材料であり、蛍光体粒子として、黄色発光のものが利用されている。
これにより、ＬＥＤ素子Ｌｎから発せられた青色光は、蛍光体粒子によってその一部が黄色光に変換され、変換後の黄色光と青色光とにより、光源１から出射される際には白色の光が発せられる。
【００２３】
発光モジュール１１は、平面視において正方形状を構成する対向する２つの辺の中央部分に相当する領域が半円形状に張り出し（張出部３７ｂである。）、この張出部３７ｂ，３７ｂがねじ３８により蓋部９に螺着されている。
次に、回路ユニット１３について説明する。
図３は、光源の回路図である。
【００２４】
光源１は、図３に示すように、口金部材３を介して図外のソケットに接続され、これにより商業電源から交流電力が供給される。回路ユニット１３は、供給された交流電力を所定の直流電力に変換して、ＬＥＤ素子Ｌｎを点灯させる。なお、６４個のＬＥＤ素子Ｌｎは、例えば、直列に接続され、これらをまとめて１つの素子として図３に示している。
回路ユニット１３は、同図に示すように、整流ダイオードＤ１、平滑コンデンサＣ１、抵抗Ｒ１等を備え、これらの電子部品は、図２に示すように、基板４１に実装されている。電子部品の例としては、整流ダイオードとしては４つのダイオードからなるダイオードブリッジが、平滑コンデンサとしては電解コンデンサがそれぞれ利用されている。なお、回路ユニット１３は、発光モジュール１１と電力供給線４３，４５を介して接続されている。
【００２５】
図４及び図５は、基板の装着状態を説明する図であり、図４は図２におけるＸ−Ｘ線の断面を矢印方向から見た図で、図５は図４における蓋部材をＹ−Ｙ線の断面を矢印方向から見た図である。
蓋部材５の筒状部７の内周面には、図４に示すように、基板４１が挿入される挿入溝９ｂ，９ｃが形成されている。この挿入溝９ｂ，９ｃは、口金部材３の軸心方向に延伸している。
【００２６】
筒状部７における挿入溝９ｂ，９ｃの開口側の端部には係止爪４７，４９が形成されている。これに併せて、基板４１も、挿入溝９ｂ，９ｃの開口側端縁に相当する位置に段差部４１ａ，４１ｂを有する。
係止爪４７，４９は、筒状部７の内側（口金部材３の軸心に向かう。）に張り出して基板４１の段差部４１ａ，４１ｂに当接して係止する係止部４７ａ，４９ａと、係止部４７ａ，４９ａよりも筒状部７の開口側に位置し、開口側の端縁から蓋部９側へと移るに従って内側への張り出し量が増加する傾斜部４７ｂ，４９ｂとを備える。なお、傾斜部４７ｂ，４９ｂは、基板４１の挿入溝９ｂ，９ｃへの挿入を容易にするためのものである。
２．使用方法
図６は、実施の形態に係る光源の照明装置への装着を説明する図である。
【００２７】
光源１を装着する照明装置５３は、壁５１に埋設させた埋め込みタイプである。
この照明装置５３に光源１を装着すべく、まず、光源１の口金部材３を、同図の（ａ）の矢印Ａの方向に移動させて、照明装置５３のソケット５５へと挿入させ、口金部材３のソケット５５に対する位置合わせをした状態で光源１を手で矢印Ｂの方向に回転させる。
この回転により、光源１は照明装置５３（ソケット５５）内へと進入し、さらに、光源１を手で回転させることができるところまで回転させると、図６の（ｂ）に示すように、光源１の一部が壁５１から張り出した状態となる。
【００２８】
次に、蓋部材５の蓋部９にある六角形状の凹部９ａの断面形状と略同じ（正確には凹部９ａより若干小さい。）断面形状を有する六角棒レンチ５７を準備し、当該六角棒レンチ５７の先端を光源１の凹部９ａへと挿入・嵌合させて、再び、同図の（ｃ）に示すＢ方向へと回転させ、蓋部９の外面と壁５１の外面とが略同じ（面一状態である。）になるまで、光源１を回転させて照明装置５３内へと進入させる。
【００２９】
これにより、光源１の照明装置５３への装着が完了する。なお、光源１を照明装置５３から取り外す際にも、上記六角棒レンチ５７の使用により容易に行うことができる。
３．その他
上記説明では、蓋部９に形成された平面視六角形状の凹部９ａにより係合部が構成されていたが、凹部の平面視形状を他の形状にしても良い。以下、他の形状について説明する。
【００３０】
図７は、凹部の形状の変形例を示す図である。
図７には、凹部の形状が分かるように、光源から発光モジュールを外した図と光源の平面図とを左右に並べて示す。
光源７１は、同図の（ａ）に示すように、蓋部７３の中央部に平面視「＋」形状をした凹部７３ａを有している。この平面視「＋」形状は、「＋」のドライバに対応した形状である。この場合も、発光モジュール７５の中央部（口金部材の軸心上でもある。）であって蓋部７３の凹部７３ａに対応する箇所が貫通孔７５ａとなっている。
【００３１】
光源８１は、同図の（ｂ）に示すように、蓋部８３の中央部に平面視「−」形状をした凹部８３ａを有している。この平面視「−」形状は、「−」のドライバに対応した形状である。この場合も、発光モジュール８５の中央部（口金部材の軸心上でもある。）であって蓋部８３の凹部８３ａに対応する箇所が貫通孔８５ａとなっている。
光源９１は、同図の（ｃ）に示すように、蓋部９３の中心（口金部材の軸心でもある。）を通り、平面視において円形状をした周縁にまで延びる溝形状をした凹部９３ａを有している。この溝形状の凹部９３ａは、硬貨が凹部９３ａに嵌るように構成されている。本例では、発光モジュール９５，９５は複数、ここでは２個であり、蓋部９３の凹部９３ａの両側に装着されている。
＜第２の実施の形態＞
第１の実施の形態に係る光源１では、蓋部９の中央部に平面視略正六角形状の凹部９ａを有し、照明装置５３に当該光源１を取り付ける（装着する）際に、又は、照明装置５３から当該光源１を取り外す際に、一般家庭用の工具である六角棒レンチを光源１の凹部９ａに挿入することで、照明装置１への取り付け・取り外しを容易に行えるようにしている。
【００３２】
第２の実施の形態では、一般家庭にあるような工具として、装着する際、スパナを利用するような光源１０１について説明する。
この光源１０１は、蓋部の側面形状をスパナ形状に対応させた点で、第１の実施の形態に係る光源１と異なる。以下、第１の実施の形態との相違点を中心に説明する。
図８は、第２の実施の形態に係る光源の平面図であり、図９は第２の実施の形態に係る光源の正面図で一部を切り欠いている。
【００３３】
光源１０１は、同図に示すように、口金部材１０３、蓋部材１０５、発光モジュール１０７、回路ユニット（図示省略）を備える。
蓋部材１０５は、筒状部１０９と蓋部１１１とを有する有底筒形状をしている。
筒状部１０９は、第１の実施の形態と同様に、円筒形状をし、その外周面がねじ形状となっている。蓋部１１１は円盤形状をし、その外周面１１１ａが平面視において略正六角形状をしている。つまり、蓋部１１１の側面１１１ａが平面視において略正六角形状をしている。この六角形状は、工具であるスパナの規格に対応している。
【００３４】
発光モジュール１０７は、その全体形状が平面視において略正方形状をし、第１の実施の形態と同様に、基板１１３と、ＬＥＤ素子（図示省略）と、波長変換部材１１５とを有している。なお、発光モジュール１０７は、その中央部でねじ１１６により蓋部１１１に取着されている。
本第２の実施の形態における光源１０１も、第１の実施の形態と同様に、照明装置への取り付け・照明装置からの取り外しの際に、蓋部１１１の側面１１１ａにスパナを嵌合させて、当該スパナを口金部材１０３の軸心廻りに回転させることで、容易に行うことができる。
【００３５】
上記説明では、蓋部１１１の側面が平面視略正六角形状に形成することにより係合部が構成されていたが、蓋部の側面の平面視形状を他の形状にしても良い。以下、他の形状について説明する。
図１０は、蓋部の側面形状の変形例を示す図であり、光源の平面図を示す。
光源１２１は、同図の（ａ）に示すように、蓋部１２３の側面が、平面視において、互いに対向する２面１２３ａ，１２３ｂが平行となるように形成され、それ以外の面１２９ｃが口金部材１２５の平面視形状である円形状と同じ半径の円弧形状をしている。なお、本例では、発光モジュール１２７は、平面視略正方形状をしている。
【００３６】
この場合、工具は、蓋部１２３の平面視における互いに対向する平行な面１２９ａ，１２９ｂと嵌合するものであれば良い。
光源１３１は、同図の（ｂ）に示すように、蓋部１３３の側面が、平面視において略正方形状となるように形成されている。つまり、側面１３３ａ，１３３ｃ同士が互いに平行であり、側面１３３ｂ，１３３ｄ同士が互いに平行である。なお、本例の発光モジュール１２７は、平面視正方形状をしている。
【００３７】
この場合、工具は、蓋部１２３の平面視における互いに対向する平行な面同士、例えば面１３３ａ，１３３ｃと嵌合する。
なお、ここでの蓋部１３３の平面視形状は、角が丸い正方形状であったが、発光モジュール１２７の平面視形状と同様の正方形状（角が略直角）であっても良い。
＜変形例＞
以上、本発明を各実施の形態に基づいて説明したが、本発明の内容が、上記の各実施の形態に示された具体例に限定されないことは勿論であり、例えば、以下のような変形例を実施することができる。
１．照明用光源について
第１及び第２の実施の形態では、口金部材内に回路（回路ユニット）を備えていたが、本発明に係る照明用光源は、口金部材内に回路を備えないタイプであっても良い。
２．口金部材について
第１及び第２の実施の形態での口金部材は、エジソンタイプのＥ２６であったが、他のサイズ、例えばＥ１７でも良い。この場合、より小型化された照明用光源を得ることができる。
【００３８】
さらに、エジソンタイプ以外であっても良い。他のタイプとしては、所謂、Ｇタイプ（ＧＸ、ＧＹ含む。）や、Ｐタイプがある。
３．発光モジュール
第１及び第２の実施の形態では、発光モジュールの全体形状が平面視において略正方形状や略長方形状であったが、他の形状であっても良い。例えば、他の形状としては、楕円形状（円形状を含む。）、四角形状以外の多角形状、例えば、略三角形状や略五角形状であっても良い。
【００３９】
また、発光モジュールについては、特に詳細に説明しなかったが、発光部として利用される発光素子であるＬＥＤ素子の数、配列、接続方法（直列・並列接続である。）は、目的とする照明用光源に仕様、例えば、発光光束、配光特性等に合わせて適宜決定すれば良い。
さらに、使用するＬＥＤ素子についても特に説明していないが、目的とする照明用光源の光色に合わせて、ＬＥＤ素子の発光色、波長変換部材等の仕様を適宜決定すれば良い。
【００４０】
また、近年ＬＥＤ素子の発光効率が向上しており、例えば、ＬＥＤ素子の発光効率が１５０ｌｍ／Ｗを超えるようになると、発光時の熱を蓋部材、口金部材から照明装置側に伝える必要がなくなる。この場合、蓋部材に樹脂等を利用することができ、照明用光源の更なる軽量化を図ることができる。
４．発光モジュールの取着方法
第１及び第２の実施の形態では、発光モジュール１１，１０７を蓋部９，１１１にねじ３８，１１６により螺着していたが、他の方法で発光モジュールを蓋部に取着しても良い。以下、他の取着方法について説明する。
【００４１】
図１１は、発光モジュールの取着手段の変形例を示す平面図である。
発光モジュール１４１は、蓋部１４３の上面１４３ａに設けられている一対の固定手段１４５，１４５により当該上面１４３ａに固定（取着）されている。
図１２は、図１１のＺ１−Ｚ１線での断面を矢印方向から見た図であり、図１３は、図１１及び図１２のＺ２−Ｚ２線での断面を矢印方向から見た図である。
【００４２】
発光モジュール１４１は、図１１及び図１３に示すように、中央部に貫通孔を有し且つ全体形状が平面視において略正方形状をし、主面に配線パターンを有する基板１４７と、当該基板１４７に実装され且つ前記配線パターンと電気的に接続する１又は複数のＬＥＤ素子（図示省略）と、ＬＥＤ素子を覆い当該ＬＥＤ素子を封止する封止部材１４９とを備える。
【００４３】
基板１４７は、図１３、特に図１３中の拡大図に示すように、基板１４７の主面における封止部材１４９が形成されている領域よりも外側であって基板１４７における固定手段１４５に対応する部分に回路ユニット側との接続端子１５１が形成されている。
封止部材１４９は、図１１及び図１３に示すように、基板１４７よりも若干小さく且つ基板１４７と同様に平面視において略正方形状をしている。
【００４４】
固定手段１４５は、図１１から図１３に示すように、本体部１５３と、発光モジュール１４１を蓋部１４３側へと押圧する押圧部材（ここでは、板ばねを利用している。）１５５とを備える。
本体部１５３は、蓋部１４３の上面１４３ａから発光モジュール１４１の厚み方向（口金部材の軸心方向）に延伸した後に発光モジュール１４１側へと屈曲する「Ｌ」字形状をしている。つまり、本体部１５３は、蓋部１４３の上面１４３ａから発光モジュール１４１の厚み方向へと延伸する側壁部１５３ａと、側壁部１５３ａの上端から発光モジュール１４１の厚み方向と直交する方向であって発光モジュール１４１側へと延伸する上壁部１５３ｂとを有している。
【００４５】
一対の固定手段１４５，１４５は、図１１に示すように、一対の固定手段１４５，１４５間に発光モジュール１４１が配されるように間隔をおいて設けられている。つまり、一対の本体部１５３において互いに対向する上壁部１５３ｂの端面が発光モジュール１４１の封止部材１４９の側面に当接するように、一対の固定手段１４５，１４５が配設されている。
【００４６】
押圧部材１５５は、上壁部１５３ｂの下面（発光モジュール１４１の基板１４７に対向する面である。）であって発光モジュール１４１の基板１４７の接続端子１５１に対応する部分に設けられ、発光モジュール１４１を蓋部１４３へと押圧する。
押圧部材１５５は、例えば金属材料により構成され、口金部材内の回路ユニットと電気的に接続されており、発光モジュール１４１が固定手段１４５，１４５により固定されたときに、基板１４７上の接続端子１５１と接触して電気的に接続する。
【００４７】
発光モジュール１４１の蓋部１４３への装着は、一対の固定手段１４５，１４５の一端（図１２における左側である。）と発光モジュール１４１の他端（図１２における右側である。）との位置合わせをした後、発光モジュール１４１を固定手段１４５，１４５の本体部１５３に沿ってスライドさせることで行われる。発光モジュール１４１のスライド方向には、蓋部１４３の上面１４３ａに突部１４３ｂが形成されており、発光モジュール１４１が所定位置までスライドされるとそのスライドが規制されるようになっている。
５．係合部
上記第１及び第２の実施の形態では、係合部は蓋部材の蓋部に設けられていたが、例えば、発光モジュールに係合部を設けても良いし、発光モジュールと蓋部材との両方に設けて良い。
（１）発光モジュールに設ける場合
発光モジュールに係合部を設ける場合について、第１の実施の形態を例にして説明すると、平面視略六角形状をした凹部や貫通孔を波長変換部材や基板に設けることで、第１の実施の形態と同様の効果が得られる。なお、凹部の形状を図７に示すような形状にしても良いし、さらには、使用する工具との関係で他の形状にしても良い。
【００４８】
また、発光モジュールに係合部を設ける場合について、第２の実施の形態を例にして説明すると、発光モジュールの外周形状を平面視略六角形状にすることで、第２の実施の形態と同様の効果が得られる。この際、基板だけを平面視略六角形状にしても良いし、波長変換部材だけを平面視略六角形状にしても良いし、さらには、基板と波長変換部材との両方を平面視略六角形状にしても良い。なお、ここでも、外周形状を図１０に示すような形状にしても良いし、さらには、使用する工具との関係で他の形状にしても良い。
（２）発光モジュールと蓋部材とに設ける場合
発光モジュールと蓋部材とに係合部を設ける場合について、第２の実施の形態を例にして説明すると、発光モジュールと蓋部材の蓋部との外周形状を平面視略六角形状にすることで、第２の実施の形態と同様の効果が得られる。なお、ここでも、外周形状を図１０に示すような形状にしても良いし、さらには、使用する工具との関係で他の形状にしても良い。
【産業上の利用可能性】
【００４９】
本発明は、照明装置に対して照明用光源の取り付け及び取り外しが容易に行うことができる照明用光源に利用可能である。
【符号の説明】
【００５０】
１    光源
９ａ  凹部
７    蓋部材
９    口金部材
１１    発光モジュール
１３    回路ユニット
【図１】
2011014357.tif 000003
【図２】
2011014357.tif 000004
【図３】
2011014357.tif 000005
【図４】
2011014357.tif 000006
【図５】
2011014357.tif 000007
【図６】
2011014357.tif 000008
【図７】
2011014357.tif 000009
【図８】
2011014357.tif 000010
【図９】
2011014357.tif 000011
【図１０】
2011014357.tif 000012
【図１１】
2011014357.tif 000013
【図１２】
2011014357.tif 000014
【図１３】
2011014357.tif 000015